(57)【要約】      （修正有）【課題】カップ状容器の蓋のスカート部を、容器開口部のフランジ部にかしめて固定するカップ状容器の簡易な蓋かしめ固定装置の提供。【解決手段】基台４に昇降可能に支持されたスライド軸５と、スライド軸５に設けられた、蓋２を押さえる蓋押さえ部材６と、蓋押さえ部材６の下降位置を規定する位置決め機構７と、スライド軸５に摺動可能に嵌挿された加圧プレート８と、加圧プレート８と蓋押さえ部材６の間に介設された圧縮ばね９と、加圧プレート８を昇降させる操作レバー１０と、加圧プレート８の蓋押さえ部材６に対する相対移動により動作する複数のリンク機構１１と、リンク機構１１に設けられ、蓋２のスカート部２１をフランジ部Ｆの先端を支点として容器本体１側に折り込むとともに、折り込んだスカート部２１をフランジ部Ｆの内側にさらに折り込む複数の爪部材１２とを備える。【選択図】図１
2005088897.tif 000002
【特許請求の範囲】
【請求項１】
水平部の先端から下方に周壁部を延設した容器開口部のフランジ部に、該容器開口部に嵌着した蓋のスカート部をかしめて固定するカップ状容器の蓋かしめ固定装置であって、容器を支持するホルダ上で基台に昇降可能に支持されたスライド軸と、該スライド軸の下端に固定され、容器に嵌着された蓋を押さえる蓋押さえ部材と、スライド軸又は蓋押さえ部材に配設され、蓋押さえ部材の下降位置を規定する位置決め機構と、蓋押さえ部材の上方でスライド軸に摺動可能に嵌挿された加圧プレートと、該加圧プレートと蓋押さえ部材の間に介設された圧縮ばねと、前記加圧プレートを昇降させる操作手段と、加圧プレートと蓋押さえ部材の間に介設され、加圧プレートの蓋押さえ部材に対する相対移動により動作する複数のリンク機構と、該リンク機構に設けられ、前記蓋のスカート部をフランジ部の先端を支点として容器本体側に折り込むとともに、折り込んだスカート部をフランジ部の内側にさらに折り込む複数の爪部材とを備えたことを特徴とするカップ状容器の蓋かしめ固定装置。
【請求項２】
前記リンク機構を、一端に爪部材を備えて蓋の外側に配設された爪アームと、中間部が蓋押さえ部材側に、一端が爪アームの中間部にそれぞれ枢支されるとともに、加圧プレート側に設けたカムを嵌挿するカム溝を他端に備えたカムアームと、一端が爪アームの他端に枢支されるとともに、前記カムを嵌挿する長溝を他端に備えた補助アームとを備えて構成したことを特徴とする請求項１記載のカップ状容器の蓋かしめ固定装置。
【発明の詳細な説明】
【技術分野】
【０００１】
本発明は、プラスチック製のカップ状容器の蓋かしめ固定装置に関し、特に、カップ状容器の開口部に嵌着した蓋のスカート部を、断面鉤状にせり出す容器開口部のフランジ部にかしめて固定することにより、蓋を容易に取り外せないようにすることができるカップ状容器の蓋かしめ固定装置に関するものである。
【背景技術】
【０００２】
従来、冷菓等の食品は、容器に対して密封収容する必要が特にないことから、容器に熱溶着されるヒートシール蓋が用いられることは少なく、容器の開口部に対して外嵌されているだけの被せ蓋が一般に用いられている。
【０００３】
この被せ蓋は、容器に乗せて押し込むだけでよいことから、熱溶着に所定の時間を要するヒートシール蓋等と比較して、蓋被せ工程の生産効率が高く、このため、特に、生産加工費が高く、高い生産性が求められる冷菓等の食品容器には適しているとされ、かき氷やプリンの容器の蓋として採用されてきた。
【０００４】
しかしながら、従来の被せ蓋では、容器開口部のフランジ部に被せられているだけの構成であることから、流通過程において加わる振動や売り場での取り扱いの過程において、蓋同士が接触や衝突をして、蓋が簡単に外れてしまうという問題があった。
【０００５】
さらに、近年、食品に対する衛生管理に対する意識が高まる中で、被せ蓋が流通過程や売り場等において簡単に取り外され、異物が混入されるおそれがあり、再び被せ直せば蓋を取り外した痕跡を発見し難いという問題があった。
【発明の開示】
【発明が解決しようとする課題】
【０００６】
本発明は、上記従来のカップ状容器が有する問題点に鑑み、カップ状容器の開口部に嵌着した蓋のスカート部を、断面鉤状にせり出す容器開口部のフランジ部にかしめて固定することにより、蓋を容易に取り外せないようにすることを、例えば、手動操作によって簡易に行うことができるカップ状容器の蓋かしめ固定装置を提供することを目的とする。
【課題を解決するための手段】
【０００７】
上記目的を達成するため、本発明のカップ状容器の蓋かしめ固定装置は、水平部の先端から下方に周壁部を延設した容器開口部のフランジ部に、該容器開口部に嵌着した蓋のスカート部をかしめて固定するカップ状容器の蓋かしめ固定装置であって、容器を支持するホルダ上で基台に昇降可能に支持されたスライド軸と、該スライド軸の下端に固定され、容器に嵌着された蓋を押さえる蓋押さえ部材と、スライド軸又は蓋押さえ部材に配設され、蓋押さえ部材の下降位置を規定する位置決め機構と、蓋押さえ部材の上方でスライド軸に摺動可能に嵌挿された加圧プレートと、該加圧プレートと蓋押さえ部材の間に介設された圧縮ばねと、前記加圧プレートを昇降させる操作手段と、加圧プレートと蓋押さえ部材の間に介設され、加圧プレートの蓋押さえ部材に対する相対移動により動作する複数のリンク機構と、該リンク機構に設けられ、前記蓋のスカート部をフランジ部の先端を支点として容器本体側に折り込むとともに、折り込んだスカート部をフランジ部の内側にさらに折り込む複数の爪部材とを備えたことを特徴とする。
【０００８】
この場合において、前記リンク機構を、一端に爪部材を備えて蓋の外側に配設された爪アームと、中間部が蓋押さえ部材側に、一端が爪アームの中間部にそれぞれ枢支されるとともに、加圧プレート側に設けたカムを嵌挿するカム溝を他端に備えたカムアームと、一端が爪アームの他端に枢支されるとともに、前記カムを嵌挿する長溝を他端に備えた補助アームとを備えて構成することができる。
【発明の効果】
【０００９】
本発明のカップ状容器の蓋かしめ固定装置によれば、容器を支持するホルダ上で基台に昇降可能に支持されたスライド軸と、該スライド軸の下端に固定され、容器に嵌着された蓋を押さえる蓋押さえ部材と、スライド軸又は蓋押さえ部材に配設され、蓋押さえ部材の下降位置を規定する位置決め機構と、蓋押さえ部材の上方でスライド軸に摺動可能に嵌挿された加圧プレートと、該加圧プレートと蓋押さえ部材の間に介設された圧縮ばねと、前記加圧プレートを昇降させる操作手段と、加圧プレートと蓋押さえ部材の間に介設され、加圧プレートの蓋押さえ部材に対する相対移動により動作する複数のリンク機構と、該リンク機構に設けられ、前記蓋のスカート部をフランジ部の先端を支点として容器本体側に折り込むとともに、折り込んだスカート部をフランジ部の内側にさらに折り込む複数の爪部材とを備えることから、操作手段を、例えば、手動操作することにより、容器本体の開口部に嵌着した蓋のスカート部を、容器開口部のフランジ部に容易にかしめて固定することができ、これにより、生産効率を維持しながら、カップ状容器の蓋を容易に取り外せないようにするとともに、開封された容器の確認を容易にすることができる。
【００１０】
また、前記リンク機構を、一端に爪部材を備えて蓋の外側に配設された爪アームと、中間部が蓋押さえ部材側に、一端が爪アームの中間部にそれぞれ枢支されるとともに、加圧プレート側に設けたカムを嵌挿するカム溝を他端に備えたカムアームと、一端が爪アームの他端に枢支されるとともに、前記カムを嵌挿する長溝を他端に備えた補助アームとを備えて構成することにより、爪部材のかしめ固定動作を正確かつ円滑に行わしめることができる。
【発明を実施するための最良の形態】
【００１１】
以下、本発明のカップ状容器の蓋かしめ固定装置の実施の形態を、図面に基づいて説明する。
【実施例１】
【００１２】
図１〜図６に、本発明のカップ状容器の蓋かしめ固定装置の一実施例を示す。
このカップ状容器の蓋かしめ固定装置は、例えば、ポリエチレン等のプラスチック製のカップ状容器の蓋２を容器本体１にかしめて固定するもので、図７に示すように、水平部Ｆ１の先端から下方に周壁部Ｆ２を延設して、断面鉤状にせり出す容器開口部のフランジ部Ｆに、該容器開口部に嵌着した蓋２のスカート部２１をかしめて固定する。
すなわち、このカップ状容器の蓋かしめ固定装置は、図１〜図３に示すように、容器本体１の底部を支持するホルダ３の上で基台４に昇降可能に支持されたスライド軸５と、該スライド軸５の下端に固定され、容器に嵌着された蓋を押さえる蓋押さえ部材６と、スライド軸５に配設され、蓋押さえ部材６の下降位置を規定する位置決め機構７と、蓋押さえ部材６の上方でスライド軸５に摺動可能に嵌挿された加圧プレート８と、該加圧プレート８と蓋押さえ部材６の間に介設された圧縮ばね９と、前記加圧プレート８を昇降させる操作レバー１０と、加圧プレート８と蓋押さえ部材６の間に介設され、加圧プレート８の蓋押さえ部材６に対する相対移動により動作する複数のリンク機構１１と、該リンク機構１１に設けられ、前記蓋２のスカート部２１をフランジ部Ｆの先端を支点として容器本体１側に折り込むとともに、折り込んだスカート部２１をフランジ部Ｆの内側にさらに折り込む複数の爪部材１２とを備えている。
【００１３】
ホルダ３は、容器本体１の底部が嵌合する皿状のものからなり、容器の大きさ等に合わせて交換できるように、数種類のホルダが着脱可能に設けられている。
また、このホルダ３は、必要に応じてスペーサ３１を用いることにより、水平方向だけでなく、容器の高さ方向の位置決めもすることができる。
なお、このホルダ３が固定される基台４は、ホルダ３を載置固定する台座４１と、該台座４１の後部から立設されたスタンド４２と、該スタンド４２の上部から前方に延設されたスライド軸受け４３とを備えている。
【００１４】
スライド軸５は、前記基台４のスライド軸受け４３に垂直方向に摺動可能に支持されており、スライド軸受け４３の下方に、上昇を制限するストッパ５１を設けるとともに、該ストッパ５１の下に前記加圧プレート８を摺動可能に嵌挿させている。
また、このスライド軸５の上部には、蓋押さえ部材６の位置決め機構７が設けられており、この位置決め機構７は、スライド軸５の上部に螺合する調整ナット７１が基台４のスライド軸受け４３に当接することにより、蓋押さえ部材６の下降位置を規定するようになっている。
【００１５】
蓋押さえ部材６は、スライド軸５の下端に固定された冠状のものからなり、容器本体１に嵌着された蓋２を介してフランジ部Ｆの水平部Ｆ１と周壁部Ｆ２とを押さえる嵌着部６１を備えている。
【００１６】
加圧プレート８は、蓋押さえ部材６とストッパ５１の間でスライド軸５に摺動可能に嵌挿されており、蓋押さえ部材６の間に介設された圧縮ばね９によりストッパ５１に押しつけられている。
加圧プレート８の上部には、該加圧プレート８と操作レバー１０の中間部とを連結する連結プレート１３が枢着されており、操作レバー１０の昇降動作がこの連結プレート１３を介して加圧プレート８に伝達される。
【００１７】
操作レバー１０は、先端のグリップ１４が上下に揺動できるように、基端側が基台４のスタンド４２に枢着されるとともに、グリップ１４が自動的に上の位置に復帰するように、基端部が引張ばね１５により下方に付勢されている。
操作レバー１０の中間部には、前記した連結プレート１３が枢着されており、操作レバー１０を下げ操作することにより、この連結プレート１３を介して加圧プレート８が押し下げられる。
この場合、押し下げられた加圧プレート８は、圧縮ばね９を介して蓋押さえ部材６とスライド軸５を押し下げる一方、スライド軸５の調整ナット７１がスライド軸受け４３に当接して蓋押さえ部材６の下降が規制された後は、圧縮ばね９を押圧しながら蓋押さえ部材６の方に移動する。
【００１８】
爪部材１２は、本実施例では、容器蓋２の全周を６分割した円弧状に形成されており、蓋２の周囲に６個配設されている。
なお、爪部材１２の形状や数量は適宜選択することが可能であり、例えば、図６に示すように、爪先を波形にしたり、直線状にしたりすることができる。
また、爪部材１２にヒーターを設け、蓋２を加熱しながら塑性変形させて容器にかしめ固定することもできる。
【００１９】
一方、リンク機構１１は、図４〜図５に示すように、一端に爪部材１２を備えて蓋２の外側に配設された爪アーム１６と、中間部が蓋押さえ部材６側に、一端が爪アーム１６の中間部にそれぞれ枢支されるとともに、加圧プレート８側に設けたカム１７を嵌挿するカム溝１８を他端に備えたカムアーム１９と、一端が爪アーム１６の他端に枢支されるとともに、前記カム１７を嵌挿する長溝２１を他端に備えた補助アーム２０とを備えて構成されている。
この場合、爪アーム１６の他端とカムアーム１９の一端部側には、爪アーム１６を初期位置に復帰させる引張ばね２２が架設されている。
【００２０】
爪アーム１６は、蓋２の外側で、爪部材１２を内側に向けて半径方向に配設されており、カムアーム１９と補助アーム２０は、この爪アーム１６の中間部と他の端部とをそれぞれ揺動可能に支持している。
カムアーム１９のカム溝１８は斜溝１８ａと縦溝１８ｂを有し、加圧プレート８のカム１７が斜溝１８ａを移動することにより、カムアーム１９は、補助アーム２０と協働して爪アーム１６の爪部材１２を内側に移動させる。
このとき、カム１７は、カム溝１８の斜溝１８ａを移動しながら補助アーム２０の長溝２１中を移動しており、カム１７が長溝２１の下端に到達してからは、カム１７が長溝２１の縁部を介して補助アーム２０を下方に押し、爪アーム１６を揺動させて爪部材１２を上に移動させる。
【００２１】
次に、この実施例のカップ状容器の蓋かしめ固定装置の動作を説明する。
先ず、図１及び図４（ａ）に示すように、蓋２を被せた容器本体１をホルダ３に乗せ、操作レバー１０のグリップ１４を手で押し下げ、連結プレート１３を介して加圧プレート８を押し下げる。
【００２２】
押し下げられた加圧プレート８は、図４（ｂ）に示すように、圧縮ばね９を介して蓋押さえ部材６とスライド軸５を押し下げる一方、スライド軸５の調整ナット７１がスライド軸受け４３に当接することにより、蓋押さえ部材６が蓋２に嵌着された位置で停止する。
蓋押さえ部材６の下降が停止した後は、図５（ａ）に示すように、加圧プレート８は、圧縮ばね９を押圧しながら蓋押さえ部材６の方に移動し、カム１７を介してリンク機構１１を動作させる。
【００２３】
カム１７は、図４（ｂ）〜図５（ａ）に示すように、最初はカムアーム１９のカム溝１８の斜溝１８ａを下降し、これにより、カムアーム１９は、補助アーム２０と協働して爪アーム１６の爪部材１２を内側に略水平に移動させる。
これにより、爪部材１２は、図５（ａ）に示すように、蓋２のスカート部２１をフランジ部Ｆの先端を支点として容器本体１側に折り込むことができる。
【００２４】
また、カム１７は、図５（ａ）に示すように、カム溝１８の斜溝１８ａを移動しながら補助アーム２０の長溝２１中を移動しており、図５（ｂ）に示すように、カム１７が長溝２１の下端に到達してからは、カム１７が長溝２１の縁部を介して補助アーム２０を下方に押し、爪アーム１６を揺動させて爪部材１２を上に移動させる。
これにより、爪部材１２は、図５（ｂ）に示すように、折り込んだスカート部２１をフランジ部Ｆの内側にさらに折り込んで容器本体１にかしめ固定することができる。
【００２５】
爪部材１２による蓋２のかしめ固定が終了した時点で、操作レバー１０に加えていた力を緩めて復帰させると、押圧力が解かれた加圧プレート８は、図４（ｂ）に示すように、圧縮ばね９によりスライド軸５に沿ってストッパ５１まで上昇し、この加圧プレート８の上昇により、リンク機構１１が動作して爪部材１２が初期位置まで復帰する。
そして、ストッパ５１まで上昇した加圧プレート８は、操作レバー１０がさらに上昇することにより、ストッパ５１を介してスライド軸５を引き上げ、これにより、図４（ａ）に示すように、リンク機構１１や爪部材１２、蓋押さえ部材６等が初期位置に復帰する。
【００２６】
かくして、本実施例のカップ状容器の蓋かしめ固定装置は、容器を支持するホルダ３上で基台４に昇降可能に支持されたスライド軸５と、該スライド軸５の下端に固定され、容器に嵌着された蓋を押さえる蓋押さえ部材６と、スライド軸５に配設され、蓋押さえ部材６の下降位置を規定する位置決め機構７と、蓋押さえ部材６の上方でスライド軸５に摺動可能に嵌挿された加圧プレート８と、該加圧プレート８と蓋押さえ部材６の間に介設された圧縮ばね９と、前記加圧プレート８を昇降させる操作レバー１０と、加圧プレート８と蓋押さえ部材６の間に介設され、加圧プレート８の蓋押さえ部材６に対する相対移動により動作する複数のリンク機構１１と、該リンク機構１１に設けられ、前記蓋２のスカート部２１をフランジ部Ｆの先端を支点として容器本体１側に折り込むとともに、折り込んだスカート部２１をフランジ部Ｆの内側にさらに折り込む複数の爪部材１２とを備えることから、操作レバー１０を操作することにより、容器本体１の開口部に嵌着した蓋２のスカート部２１を、容器開口部のフランジ部Ｆに容易にかしめて固定することができ、これにより、生産効率を維持しながら、カップ状容器の蓋２を容易に取り外せないようにするとともに、開封された容器の確認を容易にすることができる。
そして、前記リンク機構１１を、一端に爪部材１２を備えて蓋２の外側に配設された爪アーム１６と、中間部が蓋押さえ部材６側に、一端が爪アーム１６の中間部にそれぞれ枢支されるとともに、加圧プレート８側に設けたカム１７を嵌挿するカム溝１８を他端に備えたカムアーム１９と、一端が爪アーム１６の他端に枢支されるとともに、前記カム１７を嵌挿する長溝２１を他端に備えた補助アーム２０とを備えて構成することにより、爪部材１２のかしめ固定動作を正確かつ円滑に行わしめることができる。
【００２７】
以上、本発明の実施例を説明したが、本発明のカップ状容器の蓋かしめ固定装置は、この実施例の記載に限定されるものではなく、例えば、操作レバーをシリンダー等の機械的な自動操作手段で構成するなど、その趣旨を逸脱しない範囲において適宜に変更することが可能である。
【産業上の利用可能性】
【００２８】
本発明のカップ状容器の蓋かしめ固定装置は、容器本体の開口部に嵌着した蓋のスカート部を開口部のフランジ部に容易にかしめ固定することができるという特性を有していることから、冷菓等の食品工場において、冷菓等の食品容器の閉蓋の用途に用いることができるほか、手動操作により容易に閉蓋を行い、必要に応じてある程度の密閉性を確保することができるため、従来、惣菜等の食品の小売り販売において、汁漏れがないように合成樹脂製の容器を合成樹脂製の袋と輪ゴムやテープを用いて厳重に包装するようにしていた包装形態に代えて用いることができる。特に、本発明のカップ状容器の蓋かしめ固定装置は、従来の包装形態と比較して包装コストを低廉にできるとともに、かしめによる固定力の強弱を調節することが可能で、消費者が遊び感覚で楽しみながら容易に閉蓋作業を行うことができるため、例えば、デパートやスーパー等において、惣菜等の食品のバイキングスタイルでの販売に対応するバックヤードにおける使用等、種々の用途に用いることができるものである。
【図面の簡単な説明】
【００２９】
【図１】本発明のカップ状容器の蓋かしめ固定装置の一実施例を示す正面図である。
【図２】図１のＡ−Ａ線断面図である。
【図３】同実施例の蓋かしめ固定装置を示す平面図である。
【図４】同蓋かしめ固定装置の動作を示し、（ａ）はかしめ機構の初期状態を示す拡大正面図、（ｂ）は蓋押さえ部材が蓋に嵌着された状態を示す拡大正面図である。
【図５】同蓋かしめ固定装置の動作を示し、（ａ）は爪部材の水平移動状態を示す拡大正面図、（ｂ）は爪部材の上昇状態を示す拡大正面図である。
【図６】同実施例の爪部材を示し、（ａ）は直線状の爪先の爪部材を示す正面図、（ｂ）は波形の爪先の爪部材を示す正面図、（ｃ）は同平面図、（ｄ）は同側面図である。
【図７】同実施例の蓋かしめ固定装置で使用する容器を示す一部断面正面図である。
【符号の説明】
【００３０】
１    容器本体
Ｆ  フランジ部
Ｆ１  水平部
Ｆ２  周壁部
２    蓋
２１  スカート部
３    ホルダ
３１  スペーサ
４    基台
４１  台座
４２  スタンド
４３  スライド軸受け
５    スライド軸
５１  ストッパ
６    蓋押さえ部材
６１  嵌着部
７    位置決め機構
７１  調整ナット
８    加圧プレート
９    圧縮ばね
１０  操作レバー
１１  リンク機構
１２  爪部材
１３  連結プレート
１４  グリップ
１５  引張ばね
１６  爪アーム
１７  カム
１８  カム溝
１８ａ  斜溝
１８ｂ  縦溝
１９  カムアーム
２０  補助アーム
２１  長溝
２２  引張ばね
【図１】
2005088897.tif 000003
【図２】
2005088897.tif 000004
【図３】
2005088897.tif 000005
【図４】
2005088897.tif 000006
【図５】
2005088897.tif 000007
【図６】
2005088897.tif 000008
【図７】
2005088897.tif 000009